(57)【特許請求の範囲】
【請求項１】
設定したテーマに基づいて収集した特許公報データを蓄積し、蓄積した前記特許公報データの内容を評価し、評価結果を前記特許公報データと関連づけて蓄積する特許情報処理装置であって、
利用者により設定される表示条件に基づいて、第１の表示条件と第２の表示条件を決定する表示条件決定部と、
前記利用者により設定される前記テーマに属する案件データを、決定された前記第１の表示条件に基づくキー情報別に、該当する前記案件データのキー情報別総件数と、該当する前記案件データで既に評価データが付与されたキー情報別評価済件数とを抽出する仮想ファイル生成部と、
前記仮想ファイル生成部で抽出した前記キー情報別総件数及び前記キー情報別評価済件数を基に、評価進捗率又は未評価件数を算出するマトリクス画面編集処理部と、
決定された前記第１の表示条件に基づくキー情報別に、前記表示条件決定部で決定された前記第２の表示条件に基づいて、前記マトリクス画面編集処理部で算出された前記評価進捗率又は前記未評価件数の表示データを記憶するマトリクス表示データ記憶部と、
を備え、
前記第１の表示条件として、前記特許公報データに関する技術分類、前記特許公報データに関する出願人、及び評価情報を入力する担当者のいずれかを少なくとも選択可能に有し、
前記第２の表示条件が、出願年度、公開年度、及び登録年度のいずれかを選択する第１の選択条件と、前記評価進捗率及び前記未評価件数のいずれかを選択する第２の選択条件とからなり、
前記仮想ファイル生成部では、出願年度、公開年度、及び登録年度別に、前記キー情報別総件数と前記キー情報別評価済件数とが抽出され、
前記第１の表示条件が変更された場合には、変更された前記第１の表示条件に基づくキー情報別に、前記仮想ファイル生成部で新たに前記キー情報別総件数と前記キー情報別評価済件数とが抽出され、
前記第２の表示条件が変更された場合には、前記マトリクス画面編集処理部にて、前記評価進捗率又は前記未評価件数を算出し、
マトリクス表示手段では、決定又は変更された前記第１の表示条件に基づくキー情報別に、前記表示条件決定部で決定又は変更された前記第２の表示条件に基づいて、前記マトリクス画面編集処理部で算出されて前記マトリクス表示データ記憶部に記憶された前記評価進捗率又は前記未評価件数の前記表示データを表示し、
評価対象条件決定部では、前記マトリクス表示手段に表示された前記表示データに対して評価範囲入力手段によって前記利用者が設定した評価範囲に基づいて、評価処理の対象を決定し、
評価対象案件抽出部では、前記評価対象条件決定部で決定された前記案件データを抽出することを特徴とする特許情報処理装置。
【請求項２】
前記表示データとして、前記第１の表示条件が前記技術分類である場合にはあらかじめ書誌的事項として前記特許公報データが有する前記技術分類データを、前記第１の表示条件が前記出願人である場合にはあらかじめ書誌的事項として前記特許公報データが有する前記出願人に関する出願人名データ又は出願人識別番号データを、前記第１の表示条件が前記担当者である場合には前記テーマの設定情報として登録している担当者識別データを、前記第２の表示条件が前記出願年度である場合にはあらかじめ書誌的事項として前記特許公報データが有する出願日データ又は出願番号データを用いることを特徴とする請求項１に記載の特許情報処理装置。
【発明の詳細な説明】
【技術分野】
【０００１】
本発明は、設定したテーマに基づいて収集した少なくとも特許が特定できる特許公報データを蓄積し、蓄積した特許公報データまたは当該特許公報データに関連付けられて表示された特許内容を評価し、評価結果を特許公報データと関連づけて蓄積する特許情報処理装置に関する。
【背景技術】
【０００２】
膨大な発行件数に及ぶ各国の特許公報に対して、他方では多種多様な技術の開発が行われていることから、特許調査の対象範囲は拡大しており、膨大な件数を対象とした特許調査への対応が必要となっている。
このような状況の中で、特許情報の検索方法に関して多くの手法が提案されている（例えば特許文献１）。
【先行技術文献】
【特許文献】
【０００３】
【特許文献１】特開２００３−１６２５４２号公報
【発明の概要】
【発明が解決しようとする課題】
【０００４】
特許文献１でも提案されているような検索方法を用いることで、的確な該当公報の絞り込みや抽出ができるようになってきている。
しかし、抽出された公報については、評価を行うことになるが、評価情報を共有化しづらく、評価の進捗状況を把握しづらいという問題がある。
特に、評価対象件数が増加するにともない、この問題は顕著となる。
【０００５】
そこで、本発明は、特許公報に関する評価情報を共有化でき、全体の進捗状況を的確に把握できるとともに、継続的な評価処理を迅速的確に行うことができる特許情報処理装置を提供することを目的とする。
【課題を解決するための手段】
【０００６】
請求項１記載の本発明の特許情報処理装置は、設定したテーマに基づいて収集した特許公報データを蓄積し、蓄積した前記特許公報データの内容を評価し、評価結果を前記特許公報データと関連づけて蓄積する特許情報処理装置であって、利用者により設定される表示条件に基づいて、第１の表示条件と第２の表示条件を決定する表示条件決定部と、前記利用者により設定される前記テーマに属する案件データを、決定された前記第１の表示条件に基づくキー情報別に、該当する前記案件データのキー情報別総件数と、該当する前記案件データで既に評価データが付与されたキー情報別評価済件数とを抽出する仮想ファイル生成部と、前記仮想ファイル生成部で抽出した前記キー情報別総件数及び前記キー情報別評価済件数を基に、評価進捗率又は未評価件数を算出するマトリクス画面編集処理部と、決定された前記第１の表示条件に基づくキー情報別に、前記表示条件決定部で決定された前記第２の表示条件に基づいて、前記マトリクス画面編集処理部で算出された前記評価進捗率又は前記未評価件数の表示データを記憶するマトリクス表示データ記憶部と、を備え、前記第１の表示条件として、前記特許公報データに関する技術分類、前記特許公報データに関する出願人、及び評価情報を入力する担当者のいずれかを少なくとも選択可能に有し、前記第２の表示条件が、出願年度、公開年度、及び登録年度のいずれかを選択する第１の選択条件と、前記評価進捗率及び前記未評価件数のいずれかを選択する第２の選択条件とからなり、前記仮想ファイル生成部では、出願年度、公開年度、及び登録年度別に、前記キー情報別総件数と前記キー情報別評価済件数とが抽出され、前記第１の表示条件が変更された場合には、変更された前記第１の表示条件に基づくキー情報別に、前記仮想ファイル生成部で新たに前記キー情報別総件数と前記キー情報別評価済件数とが抽出され、前記第２の表示条件が変更された場合には、前記マトリクス画面編集処理部にて、前記評価進捗率又は前記未評価件数を算出し、マトリクス表示手段では、決定又は変更された前記第１の表示条件に基づくキー情報別に、前記表示条件決定部で決定又は変更された前記第２の表示条件に基づいて、前記マトリクス画面編集処理部で算出されて前記マトリクス表示データ記憶部に記憶された前記評価進捗率又は前記未評価件数の前記表示データを表示し、評価対象条件決定部では、前記マトリクス表示手段に表示された前記表示データに対して評価範囲入力手段によって前記利用者が設定した評価範囲に基づいて、評価処理の対象を決定し、評価対象案件抽出部では、前記評価対象条件決定部で決定された前記案件データを抽出することを特徴とする。
請求項２記載の本発明は、請求項１に記載の特許情報処理装置において、前記表示データとして、前記第１の表示条件が前記技術分類である場合にはあらかじめ書誌的事項として前記特許公報データが有する前記技術分類データを、前記第１の表示条件が前記出願人である場合にはあらかじめ書誌的事項として前記特許公報データが有する前記出願人に関する出願人名データ又は出願人識別番号データを、前記第１の表示条件が前記担当者である場合には前記テーマの設定情報として登録している担当者識別データを、前記第２の表示条件が前記出願年度である場合にはあらかじめ書誌的事項として前記特許公報データが有する出願日データ又は出願番号データを用いることを特徴とする。
【発明の効果】
【０００７】
本発明によれば、第１の表示項目群に対する第２の表示項目群によるそれぞれの表示領域毎に、評価の処理状況を把握できるため、特許公報に関する評価情報を共有化でき、全体の進捗状況を的確に把握できるとともに、継続的な評価処理を迅速的確に行うことができる。
また本発明によれば、評価処理の進捗にあわせて、マトリクス表示にその処理状況を反映させることができる。
【図面の簡単な説明】
【０００８】
【図１】本発明の一実施例における特許情報処理装置の機能を実現するためのブロック図
【図２】本発明の一実施例における特許情報処理装置を構成する特許情報データベースのデータ内容を示す図
【図３】本発明の一実施例における特許情報処理装置を構成する評価情報データベースのデータ内容を示す図
【図４】本発明の一実施例における特許情報処理装置を構成する出願人情報データベースのデータ内容を示す図
【図５】本発明の一実施例における特許情報処理装置を構成する仮想ファイル生成部で生成されるデータ内容を示す図
【図６】本実施例における分類表示として技術分類を決定した場合のマトリクス表示手段での表示態様を示す図
【図７】本実施例における対象案件表示手段での表示態様を示す図
【図８】本実施例における特許情報処理装置の処理流れを示すフローチャート
【発明を実施するための形態】
【０００９】
本発明の第１の実施の形態による特許情報処理装置は、利用者により設定される表示条件に基づいて、第１の表示条件と第２の表示条件を決定する表示条件決定部と、利用者により設定されるテーマに属する案件データを、決定された第１の表示条件に基づくキー情報別に、該当する案件データのキー情報別総件数と、該当する案件データで既に評価データが付与されたキー情報別評価済件数とを抽出する仮想ファイル生成部と、仮想ファイル生成部で抽出したキー情報別総件数及びキー情報別評価済件数を基に、評価進捗率又は未評価件数を算出するマトリクス画面編集処理部と、決定された第１の表示条件に基づくキー情報別に、表示条件決定部で決定された第２の表示条件に基づいて、マトリクス画面編集処理部で算出された評価進捗率又は未評価件数の表示データを記憶するマトリクス表示データ記憶部とを備え、第１の表示条件として、特許公報データに関する技術分類、特許公報データに関する出願人、及び評価情報を入力する担当者のいずれかを少なくとも選択可能に有し、第２の表示条件が、出願年度、公開年度、及び登録年度のいずれかを選択する第１の選択条件と、評価進捗率及び未評価件数のいずれかを選択する第２の選択条件とからなり、仮想ファイル生成部では、出願年度、公開年度、及び登録年度別に、キー情報別総件数とキー情報別評価済件数とが抽出され、第１の表示条件が変更された場合には、変更された第１の表示条件に基づくキー情報別に、仮想ファイル生成部で新たにキー情報別総件数とキー情報別評価済件数とが抽出され、第２の表示条件が変更された場合には、マトリクス画面編集処理部にて、評価進捗率又は未評価件数を算出し、マトリクス表示手段では、決定又は変更された第１の表示条件に基づくキー情報別に、表示条件決定部で決定又は変更された第２の表示条件に基づいて、マトリクス画面編集処理部で算出されてマトリクス表示データ記憶部に記憶された評価進捗率又は未評価件数の表示データを表示し、評価対象条件決定部では、マトリクス表示手段に表示された表示データに対して評価範囲入力手段によって利用者が設定した評価範囲に基づいて、評価処理の対象を決定し、評価対象案件抽出部では、評価対象条件決定部で決定された案件データを抽出するものである。本実施の形態によれば、仮想ファイル生成部において、出願年度、公開年度、及び登録年度別に、キー情報別総件数とキー情報別評価済件数とが抽出されているため、第２の表示条件が変更された場合には、仮想ファイル生成部で生成しているデータを基に評価進捗率又は未評価件数を算出できるため、迅速にマトリクス表示を行え、第１の表示項目群に対する第２の表示項目群によるそれぞれの表示領域毎に、評価の処理状況を把握でき、把握した状況に応じて評価範囲を設定し、案件データを抽出することができるため、特許公報に関する評価情報を共有化でき、全体の進捗状況を的確に把握できるとともに、継続的な評価処理を迅速的確に行うことができる。また、技術分類、出願人、及び担当者のいずれかによって特定される表示項目別に、評価の進捗状況を把握することができる。
本発明の第２の実施の形態は、第１の実施の形態による特許情報処理装置において、表示データとして、第１の表示条件が技術分類である場合にはあらかじめ書誌的事項として特許公報データが有する技術分類データを、第１の表示条件が出願人である場合にはあらかじめ書誌的事項として特許公報データが有する出願人に関する出願人名データ又は出願人識別番号データを、第１の表示条件が担当者である場合にはテーマの設定情報として登録している担当者識別データを、第２の表示条件が出願年度である場合にはあらかじめ書誌的事項として特許公報データが有する出願日データ又は出願番号データを用いるものである。本実施の形態によれば、表示データとして、技術分類データ、出願人識別データ、及び担当者識別データのいずれかを直接用いることで、あらかじめ表示データを生成することなく処理を行うことができる。
【実施例】
【００１０】
以下に、本発明の特許情報処理装置の一実施例について説明する。
図１は本発明の一実施例における特許情報処理装置の機能実現のためのブロック図である。
本実施例における特許情報処理装置は、表示条件入力手段１によって利用者が設定した表示条件に基づいてマトリックス表示手段２に表示を行う第１処理部１０と、評価範囲入力手段３によって利用者が設定した評価範囲に基づいて対象案件表示手段４に表示を行う第２処理部２０と、評価情報入力手段５によって利用者が入力した評価情報を情報データベース４０に蓄積する第３処理部３０とを有している。
情報データベース４０は、特許情報データベース４１、評価情報データベース４２、管理情報データベース４３、及び出願人情報データベース４４を有している。
特許情報データベース４１には、設定したテーマに基づいて特許データ取込処理部５０にて収集した特許公報データを蓄積し、評価情報データベース４２には、利用者が入力する評価情報を含む利用者特有の追加情報を蓄積し、管理情報データベース４３には、管理情報入力手段６によって、設定したテーマに関する情報、例えば、調査テーマ名、登録日、調査内容、担当部門、調査担当者、検索条件などを蓄積し、出願人情報データベース４４には、共同出願人の情報が蓄積されている。
【００１１】
ここで、図２に特許情報データベース４１のデータ内容の内、書誌情報の一部を示す。
特許情報データベース４１には、テーマコード、管理コード、出願番号、出願日、公開公表日、登録日、技術分類（ＩＰＣ）、及びマトリクス用項目が案件データ別に蓄積されている。
テーマコードは、設定したテーマ毎に付与されるコードであり、管理コードは、設定したテーマ単位に収集された特許公報データの案件毎に付与されたコードである。
出願番号、出願日、公開公表日、登録日、技術分類（ＩＰＣ）は、案件毎に有しているデータであり、基本的には外部データから取り込まれる。
マトリクス用項目は、案件毎にテーマコード及び管理コードが付与される時、又はテーマコード及び管理コードが付与された後に作成されるもので、後に説明する仮想ファイルの作成にあたって用いられる。出願年は出願日データから、公開年は公開公表日データから、登録年は登録日から作成される。
【００１２】
また、図３に評価情報データベース４２のデータ内容の一部を示す。
評価情報データベース４２には、テーマコード、管理コード、ＳＥＱ、担当、ゴミ、及び評価に関する情報が蓄積される。評価情報データベース４２のデータは、テーマコード及び管理コードによって特許情報データベース４１の案件データと関連づけされている。担当には、担当者に関するデータが記憶され、評価者に関するデータが記憶される。ゴミ、又は評価は、いずれも利用者が入力した評価結果に関するデータである。同一案件データに対して、複数の評価データを記憶するために、ＳＥＱ項目には、評価段階、評価順序、又は最新評価か否かを識別できるデータが記憶される。
【００１３】
また、図４に出願人情報データベース４４のデータ内容の一部を示す。
出願人情報データベース４４には、テーマコード、管理コード、ＳＥＱ、及び出願人名が蓄積されている。出願人情報データベース４４のデータは、テーマコード及び管理コードによって特許情報データベース４１の案件データと関連づけされている。案件データによっては、複数の出願人が存在するため、同一案件データに対して、複数の出願人名を記憶するために、ＳＥＱ項目には、同一案件データ中で複数出願人が存在することを識別できるデータが記憶される。
【００１４】
第１処理部１０は、表示条件を決定する表示条件決定部１１と、設定されるテーマに属する案件データを抽出する仮想ファイル生成部１２と、表示データを生成するマトリクス画面編集処理部１３と、表示データを記憶するマトリクス表示データ記憶部１４とを備えている。
表示条件決定部１１は、利用者により設定される表示条件に基づいて、少なくとも第１の表示条件と第２の表示条件を決定する。ここで第１の表示条件は、特許公報データに関する技術分類、特許公報データに関する出願人、及び評価情報を入力する担当者のいずれかを少なくとも選択できる。また第２の表示条件は、出願年度、公開年度、及び登録年度のいずれかを選択する第１の選択条件と、評価進捗率及び未評価件数のいずれかを選択する第２の選択条件とからなり、第１の選択条件によって特許公報データに関する出願年度、公開年度、及び登録年度のいずれかを少なくとも選択でき、第２選択条件によって評価進捗率及び前記未評価件数のいずれかを選択できる。
仮想ファイル生成部１２は、利用者により設定されるテーマに属する案件データを、決定された第１の表示条件に基づくキー情報別に、該当する案件データのキー情報別総件数と、該当する案件データで既に評価データが付与されたキー情報別評価済件数とを抽出する。
【００１５】
ここで、図５に仮想ファイル生成部１２で生成される仮想ファイルのデータ内容の一部を示す。
仮想ファイルは、第１の表示条件に基づくキー情報別に件数データが作成される。例えば、第１の表示条件で技術分類が設定された場合には、図６に示すような「プラズマデスプレイ」、「プラズマ陰極」、「プラズマの発生」、「プラズマエッチング装」・・・別に件数データが作成される。
件数データは、第２の表示条件の全ての条件に対応するように、出願年度、公開年度、及び登録年度別に、キー情報別総件数とキー情報別評価済件数とが抽出される。
なお、第１の表示条件で特許公報データに関する出願人が選択された場合には、仮想ファイル生成部１２において、簡略仮想ファイルを作成することで、表示対象とする出願人名をあらかじめ決定しておく。簡略仮想ファイルの作成は、図５におけるキー情報（出願人名）別に、総件数データだけを作成し、出願年度、公開年度、及び登録年度別の、キー情報別総件数とキー情報別評価済件数とは抽出せずに行う。そして、簡略仮想ファイルの作成によって、決定した、例えば総件数の上位２０名と、その他の出願人とを加えた２１名分について、出願人名をキー情報として図５に示す仮想ファイルを作成する。
【００１６】
マトリクス画面編集処理部１３は、仮想ファイル生成部１２で抽出した年度別のキー情報別総件数及びキー情報別評価済件数を基に、キー情報別評価進捗率又はキー情報別未評価件数を算出する。ここで、第２の表示条件の第２の選択条件として評価進捗率が選択された場合には評価進捗率を算出し、第２の表示条件の第２の選択条件として未評価件数が選択された場合には未評価件数を算出する。そして、第１の表示項目群に対する第２の表示項目群によるそれぞれの表示領域を特定し、それぞれの表示領域に対する表示データを生成する。
【００１７】
表示データとしては、第１の表示条件が技術分類である場合には技術分類データを、第１の表示条件が出願人である場合には出願人に関する出願人名データ又は出願人識別番号データを、第１の表示条件が担当者である場合には担当者識別データを用いる。ここで、技術分類データ、出願人名データ、出願人識別データ、出願日データ、出願番号データ、公開日データ、及び公開番号データは、各国特許庁、広域特許庁、又は国際事務局が発行する特許公報データの書誌的情報としてあらかじめ付与されているデータであり、その他の書誌的情報を利用することもできる。また、担当者識別データとは、管理情報入力手段６によって入力された複数の担当者に関するデータである。ただし、それぞれの表示領域に対して、特有の表示データを付与しておき、個別の案件データに対しては、対応する表示情報をあらかじめ付与していてもよい。個別の案件データ毎にあらかじめ表示データを表示領域と関連づけて付与しておくことで、マトリクス画面編集処理部１３での処理の負荷を軽減することができる。
【００１８】
また、マトリクス画面編集処理部１３では、その他表示のために必要な編集処理を行う。例えば、キー情報別総件数とキー情報別評価済件数とが一致する場合には、数字による「１００」表示に代えて、全ての評価が完了していることを示す記号や図形表示に変換し、キー情報別総件数がゼロの場合には、該当案件が存在しないことを示す記号や図形表示に変換する。図６では、キー情報別総件数とキー情報別評価済件数とが一致する場合には四角表示、キー情報別総件数がゼロの場合には丸表示に変換した場合を示している。
マトリクス表示データ記憶部１４は、第１の表示項目群、第２の表示項目群、及びそれぞれの表示領域に対する表示データによって、表示条件決定部１１で決定された第１の表示条件と第２の表示条件による表示データを記憶する。
【００１９】
第２処理部２０は、利用者により設定される評価範囲に基づいて、マトリクス表示データ記憶部１４に記憶している表示領域に対応する表示データを特定し、特定された表示データによって評価処理の対象を決定する評価対象条件決定部２１と、評価対象条件決定部２１で特定された表示データが付与された案件データの中で、評価データによる評価情報が入力されていない案件データを抽出する評価対象案件抽出部２２とを備えている。評価対象案件抽出部２２では、特許情報データベース４１と評価情報データベース４２から該当する案件データを改めて抽出する。
【００２０】
第３処理部３０では、評価対象案件抽出部２２で抽出されて対象案件表示手段４に表示される案件データに対して、利用者により新たに入力される評価情報を評価情報データベース４２に蓄積する。
第３処理部３０は、評価情報入力手段５によって利用者により新たに入力される評価情報を記憶する対象案件データ記憶部３１を備えている。本実施例では、評価情報データベース４２に蓄積される評価データは評価情報入力手段５から直接登録され、対象案件データ記憶部３１に記憶する評価情報は、対象案件表示手段４における表示に用いているが、対象案件データ記憶部３１に記憶する評価情報を評価情報データベース４２に登録することが好ましい。
【００２１】
次に、本実施例における具体的な表示データについて図６及び図７を用いて説明する。
図６は、本実施例における分類表示として技術分類を決定した場合のマトリクス表示手段での表示態様を示す図である。
図６においては、第１の表示条件による第１の表示項目群は、「プラズマデスプレイ」「プラズマ陰極」「プラズマの発生」「プラズマエッチング装」・・・であり、第２の表示条件による第２の表示項目群は、「‘８９」「‘９０」・・・「‘０８」「‘０９」である。第１の表示項目群に対する第２の表示項目群によるそれぞれの表示領域は、例えば「プラズマデスプレイ」に対する「‘８９」による表示領域は「四角表示」、「プラズマデスプレイ」に対する「‘０８」による表示領域は「２０」、「プラズマデスプレイ」に対する「‘０９」による表示領域は「丸表示」、「プラズマの発生」に対する「‘０３」による表示領域は「５５」である。ここで「四角表示」「２０」「丸表示」「５５」は進捗率データであり、「四角表示」は既にすべて評価情報が入力され、１００％評価済みであることを示し、「丸表示」は対象案件が存在しないことを示し、「２０」は２０％の案件について評価情報が入力され、残り８０％が未評価の案件であることを示している。図３においては、評価範囲入力手段３によって「プラズマデスプレイ」に対する「‘０１」「‘０２」「‘０３」「‘０４」「‘０５」が評価範囲として設定されていることを示している。
【００２２】
また、第１の表示項目群である「プラズマデスプレイ」「プラズマ陰極」「プラズマの発生」「プラズマエッチング装」と、第２の表示条件による第２の表示項目群である「‘８９」との間に位置させている表示領域「６，５４０」「１，５４０」「７，５４０」「２，５４０」は、事前評価によって一次評価対象から除外できると判断された案件データ数を表示している。図６では、事前評価が入力された案件データ数を、第１の表示項目群のそれぞれの表示項目に対応させて演算して表示する場合を示しているが、第２の表示項目群のそれぞれの表示項目に対応させて演算して表示してもよい。
【００２３】
図７は、本実施例における対象案件表示手段での表示態様を示す図である。
図７においては、案件毎に、書誌事項、特許要約、代表図、及び評価入力に関するデータが表示されることを示している。評価入力に関しては、事前評価として「一次評価へ」と「ごみ箱」とが選択できるようになっており、事前評価として「一次評価へ」又は「ごみ箱」に入力がされた後に評価情報データベース４２に登録されると、評価データとして、評価情報が入力されていると判断されて処理される。同様に、一次評価として「Ａ」「Ｂ」又は「Ｃ」に入力がされた後に評価情報データベース４２に登録されると、評価データとして、評価情報が入力されていると判断されて処理される。
【００２４】
図８は本実施例における特許情報処理装置の処理流れを示すフローチャートである。
まず、利用者による表示条件が表示条件入力手段１によって入力される（ステップ１）。ここで表示条件として、分類表示に関する条件（第１の表示条件）、表示年度に関する条件（第２の表示条件）、及び評価の進捗に関する表示条件（第２の表示条件）が入力される。
ステップ１において表示条件が入力されると、表示条件決定部１１において第１の表示条件としての分類表示が決定される。分類表示に関する条件は、例えば、特許公報データに関する技術分類、特許公報データに関する出願人、及び評価情報を入力する担当者であり、あらかじめ設定された複数の条件から利用者の設定に基づいていずれかが決定される。
また、ステップ１において表示条件が入力されると、表示条件決定部１１において第２の表示条件としての表示年度と評価の進捗に関する表示条件が決定される。表示年度に関する条件は、例えば、特許公報データに関する出願年度、公開年度、又は登録年度であり、あらかじめ設定された複数の条件から利用者の設定に基づいていずれかが決定される。また、評価の進捗に関する表示条件は、評価の進捗率表示又は未評価件数表示である。
【００２５】
ステップ１において入力された第１の表示条件が出願人に関するものか否かが判断され（ステップ２）、出願人に関する場合には、簡易仮想ファイルの作成により表示する上位の出願人名が確定される（ステップ３）。
次に、仮想ファイル生成部１２によって、利用者により設定されるテーマに属する案件データを、第１の表示条件をキー情報として抽出する（ステップ４）。仮想ファイル生成部１２では、抽出対象となる案件データを、既に評価情報が入力されているか否かを識別できる評価データとともに抽出する。
【００２６】
次に、マトリクス画面編集処理部１３によって、仮想ファイル生成部１２で抽出した案件データを基に、第２の表示条件に従って表示すべきデータを作成する（ステップ５）。このとき、マトリクス画面編集処理部１３によって、第１の表示項目群に対する第２の表示項目群によるそれぞれの表示領域が特定される。そして、マトリクス画面編集処理部１３によって、それぞれの表示領域に対する表示データを生成する。
ステップ５で第１の表示項目群、第２の表示項目群、及び表示データを生成すると、マトリクス表示データ記憶部１４では、これらの第１の表示項目群、第２の表示項目群、及び表示データを記憶する（ステップ６）。そして、ステップ６で記憶されたマトリクス表示データに基づいてマトリクス表示手段２で表示される（ステップ７）。
ステップ８において、第１の表示条件を変更する場合には、ステップ２に戻り、再度ステップ４において、仮想ファイルが作成される。
ステップ９において、第２の表示手段を変更する場合には、ステップ５に戻り、既に作成済みの仮想ファイルを用いて、第２の表示条件による表示データが作成される。
【００２７】
次に、評価範囲入力手段３によって利用者が評価範囲を入力する（ステップ１０）。
ステップ１０における利用者により設定される評価範囲に基づいて、評価対象条件決定部２１では、マトリクス表示データ記憶部１４に記憶された表示領域に対応する表示データが特定され、特定された表示データによって評価処理の対象を決定する（ステップ１１）。
そして、評価対象案件抽出部２２によって、評価対象条件決定部２１で特定された表示データが付与された案件データの中で、評価データによる評価情報が入力されていない案件データを抽出する（ステップ１２）。評価対象案件抽出部２２によって抽出されるデータは、評価情報に関しては評価情報データベース４２から、特許公報データについては特許情報データベース４１から抽出される。
評価対象案件抽出部２２によって抽出されたデータは、対象案件表示手段４によって表示される（ステップ１３）。
そして、利用者は、対象案件表示手段４によって閲覧をし、評価情報入力手段５によって評価情報を入力する（ステップ１４）。
ステップ１４で入力された評価情報は、評価情報データベース４２に登録される（ステップ１５）とともに、対象案件データ記憶部３１で記憶され、対象案件表示手段４によって閲覧することができる。
【００２８】
以上のように本実施例によれば、仮想ファイル生成部において、出願年度、公開年度、及び登録年度別に、キー情報別総件数とキー情報別評価済件数とが抽出されているため、第２の表示条件が変更された場合には、仮想ファイル生成部で生成しているデータを基に評価進捗率又は未評価件数を算出できるため、迅速にマトリクス表示を行え、第１の表示項目群に対する第２の表示項目群によるそれぞれの表示領域毎に、評価の処理状況を把握できるため、特許公報に関する評価情報を共有化でき、全体の進捗状況を的確に把握できるとともに、継続的な評価処理を迅速的確に行うことができる。
【産業上の利用可能性】
【００２９】
本発明は、国内における特許公報だけなく、中国や米国などの外国の特許公報についても利用できる。
【符号の説明】
【００３０】
１  表示条件入力手段
２  マトリックス表示手段
３  評価範囲入力手段
４  対象案件表示手段
５  評価情報入力手段
６  管理情報入力手段
１０  第１処理部
１１  表示条件決定部
１２  仮想ファイル生成部
１３  マトリクス画面編集処理部
１４  マトリクス表示データ記憶部
２０  第２処理部
２１  評価対象条件決定部
２２  評価対象案件抽出部
３０  第３処理部
３１  対象案件データ記憶部
４０  情報データベース
４１  特許情報データベース
４２  評価情報データベース
４３  管理情報データベース
４４  出願人情報データベース
５０  特許データ取込処理部
【図１】
0005548517.tif 000002
【図２】
0005548517.tif 000003
【図３】
0005548517.tif 000004
【図４】
0005548517.tif 000005
【図５】
0005548517.tif 000006
【図６】
0005548517.tif 000007
【図７】
0005548517.tif 000008
【図８】
0005548517.tif 000009